(57)【要約】【課題】より多くのコンテンツを電子メールに添付して送付可能であり、また再配布不可のコンテンツを適切に扱うことが可能な端末装置及びキャプチャ処理方法を提供する。【解決手段】制御回路は、表示画面のキャプチャが指示されると、該表示画面をキャプチャし、キャプチャした画像に再配布不可の画像が含まれている場合、該再配布不可の画像を予め決められた代替画像に置き換え、代替画像を含むキャプチャした画像またはキャプチャした画像の編集後の画像を添付した電子メールを作成するためのメール編集画面を起動する。【選択図】図２
2012128565.tif 000002
【特許請求の範囲】
【請求項１】
画像等を添付した電子メールの送受信が可能な端末装置であって、
表示画面のキャプチャが指示されると、該表示画面をキャプチャし、前記キャプチャした画像に再配布不可の画像が含まれている場合、該再配布不可の画像を予め決められた代替画像に置き換え、前記代替画像を含む前記キャプチャした画像または前記キャプチャした画像の編集後の画像を添付した前記電子メールを作成するためのメール編集画面を起動する制御回路と、
前記制御回路の指示にしたがって画像を表示する表示装置と、
を有する端末装置。
【請求項２】
前記制御回路は、
前記キャプチャした画像に再配布不可の画像が含まれており、前記再配布不可の画像に代わって前記電子メールに添付可能な関連する情報がある場合、該情報を前記電子メールに添付するか否かをユーザに選択させるための確認画面を前記表示装置に表示させる請求項１記載の端末装置。
【請求項３】
端末装置によってキャプチャした画像を電子メールに添付するためのキャプチャ処理方法であって、
制御回路が、
表示画面のキャプチャが指示されると、該表示画面をキャプチャし、
前記キャプチャした画像に再配布不可の画像が含まれている場合、該再配布不可の画像を予め決められた代替画像に置き換え、
前記代替画像を含む前記キャプチャした画像または前記キャプチャした画像の編集後の画像を添付した前記電子メールを作成するためのメール編集画面を起動するキャプチャ処理方法。
【請求項４】
前記キャプチャした画像に再配布不可の画像が含まれており、前記再配布不可の画像に代わって前記電子メールに添付可能な関連する情報がある場合、該情報を前記電子メールに添付するか否かをユーザに選択させるための確認画面を前記表示装置に表示させる請求項３記載のキャプチャ処理方法。
【発明の詳細な説明】
【技術分野】
【０００１】
本発明は画像等を添付した電子メールの送受信が可能な端末装置及びそのキャプチャ処理方法に関する。
【背景技術】
【０００２】
携帯端末装置等の端末装置に保存された情報を誰かと共有したい場合、以下の（１）〜（３）で示すように、該情報をそのまま電子メールに添付して送信できないケースがある。このようなケースでは、例えば記録メディアに情報を保存して配布したり、情報を手動で入力したりする等の操作が必要であり、処理が煩雑になる。
（１）各種データの一覧画面、電卓の計算結果、辞典の記載内容等、情報をそのままコピーできないケース。
（２）画像データを含むＨＴＭＬ（HyperText Markup Language）コンテンツの情報を送付するケース。
（３）特定の絵文字を送りたい場合や日本語に対応していない端末装置にデータを送る場合等、いわゆる文字化けが発生するケース。
【０００３】
そこで、例えば特許文献１ではＷｅｂサイトから得られるＨＴＭＬコンテンツをキャプチャして保存し、該ＨＴＭＬコンテンツを他の端末装置等に送信可能にした携帯端末装置が提案されている。
【先行技術文献】
【特許文献】
【０００４】
【特許文献１】特開２００５−３３２１６０号公報
【発明の概要】
【発明が解決しようとする課題】
【０００５】
しかしながら上記特許文献１に記載された技術は、Ｗｅｂサイトから得られるＨＴＭＬコンテンツのみ電子メールに添付して送信可能にした構成であり、送信可能な情報が限定されている。また、Ｗｅｂサイト等から提供されるコンテンツ（画像等）には、コピーによる再配布が制限されている、あるいは再配布が禁止されている場合（以下、再配布不可のコンテンツと称す）があるが、そのような再配布不可のコンテンツをどのように処理するかについては何も示していない。したがって、特許文献１に記載された技術を採用した携帯端末装置では、再配布不可のコンテンツをその管理者の意図にしたがって適切に扱っていない可能性がある。
【０００６】
本発明は上述したような背景技術が有する問題点を解決するためになされたものであり、より多くのコンテンツを電子メールに添付して送付可能であり、再配布不可のコンテンツを適切に扱うことが可能な端末装置及びそのキャプチャ処理方法を提供することを目的とする。
【課題を解決するための手段】
【０００７】
上記目的を達成するため本発明の端末装置は、画像等を添付した電子メールの送受信が可能な端末装置であって、
表示画面のキャプチャが指示されると、該表示画面をキャプチャし、前記キャプチャした画像に再配布不可の画像が含まれている場合、該再配布不可の画像を予め決められた代替画像に置き換え、前記代替画像を含む前記キャプチャした画像または前記キャプチャした画像の編集後の画像を添付した前記電子メールを作成するためのメール編集画面を起動する制御回路と、
前記制御回路の指示にしたがって画像を表示する表示装置と、
を有する。
【０００８】
一方、本発明のキャプチャ処理方法は、端末装置によってキャプチャした画像を電子メールに添付するためのキャプチャ処理方法であって、
制御回路が、
表示画面のキャプチャが指示されると、該表示画面をキャプチャし、
前記キャプチャした画像に再配布不可の画像が含まれている場合、該再配布不可の画像を予め決められた代替画像に置き換え、
前記代替画像を含む前記キャプチャした画像または前記キャプチャした画像の編集後の画像を添付した前記電子メールを作成するためのメール編集画面を起動する方法である。
【発明の効果】
【０００９】
本発明によれば、より多くのコンテンツを電子メールに添付して送付可能であり、再配布不可のコンテンツを適切に扱うことができる。
【図面の簡単な説明】
【００１０】
【図１】本発明の端末装置の一構成例を示すブロック図である。
【図２】本発明の端末装置の動作例を示すフローチャートである。
【図３】スケジュール画面をキャプチャし、該キャプチャしたスケジュール画面を電子メールに添付する場合の画面推移例を示す模式図である。
【図４】再配布不可のコンテンツを含む画像一覧画面をキャプチャし、該キャプチャした画面を電子メールに添付する場合の画面推移例を示す模式図である。
【図５】Ｗｅｂ画面をキャプチャし、該キャプチャした画面を電子メールに添付する場合の画面推移例を示す模式図である。
【図６】再配布不可のコンテンツを含むＷｅｂ画面をキャプチャし、該キャプチャした画面を電子メールに添付する場合の画面推移例を示す模式図である。
【発明を実施するための形態】
【００１１】
次に本発明について図面を用いて説明する。
【００１２】
図１は、本発明の端末装置の一構成例を示すブロック図である。
【００１３】
図１に示すように、本発明の端末装置は、例えばアンテナ１、無線回路２、制御回路３、ＲＯＭ（Read Only Memory）４、ＲＡＭ（Random Access Memory）５、テンキー６、機能キー７、表示回路８及び表示装置９を備えた携帯端末装置で実現される。
【００１４】
無線回路２は、制御回路３から受信した情報、音声信号、制御信号等を符号化、変調して無線信号を生成し、アンテナ１を介して不図示の基地局へ送信する。また、無線回路２は、基地局から受信した無線信号を、復調、復号して情報、音声信号、制御信号等を再生し、制御回路３に出力する。
【００１５】
制御回路３は、例えばＣＰＵ（Central Processing Unit）を備えた情報処理装置であり、ＲＯＭ４に格納されたプログラムにしたがって、ＲＡＭ５を作業領域に用いて後述する本発明の端末装置としての処理を実行する。なお、ＲＯＭ４には、端末装置の動作全体を制御するためのプログラム、文字や画像等の表示に必要なデータ（コーデック）等も格納される。
【００１６】
テンキー６及び機能キー７は、ユーザにより端末装置に対してデータや指示を入力するために用いられる。
【００１７】
表示回路８は、制御回路３の指示にしたがって表示装置９に画像を表示させるための信号処理や制御等を実行する。
【００１８】
表示装置９は、表示回路８の制御により、制御回路３から出力されたデータに基づいて画像を表示する。
【００１９】
次に本実施形態の端末装置の動作について図面を用いて説明する。
【００２０】
図２は、本発明の端末装置の動作例を示すフローチャートである。なお、図２は、機能キー７等を用いてユーザが入力した指示にしたがって制御回路３により表示されたコンテンツ（画像）のキャプチャから該画像を電子メールに添付するまでの動作例を示している。
【００２１】
図２に示すように、制御回路３は、ユーザから画面キャプチャの指示が入力されると、まず表示装置９で表示している画像に再配布不可のコンテンツが含まれていないか否かを判定する（ステップＳ１）。
【００２２】
表示画像に再配布不可のコンテンツが含まれている場合、制御回路３は、再配布不可のコンテンツが表示画像内の一部であるか、表示している全ての画像であるかを確認する（ステップＳ１１）。
【００２３】
一部の画像が再配布不可のコンテンツである場合、該再配布不可のコンテンツを予め設定した代替画像に置き換える（ステップＳ１２）。一方、表示している全ての画像が再配布不可のコンテンツである場合、ユーザに再配布不可を通知するための警告画面を表示装置９に表示させて処理を中止する（ステップＳ１３）。代替画像は、ユーザに再配布不可であることを通知できればよく、例えば再配布不可の画像位置に「表示不可」と表示させればよい。
【００２４】
ステップＳ１にて、表示している画像に再配布不可のコンテンツが含まれていない場合、制御回路３は、キャプチャした画像をそのまま電子メールに添付するか否かをユーザに問い合わせる確認画面を表示装置９に表示させてユーザからの指示入力を待つ（ステップＳ２）。
【００２５】
ユーザによりキャプチャした画像を電子メールにそのまま添付しない旨の指示が入力された場合、制御回路３は、表示装置９にキャプチャした画像を編集するか否かをユーザに問い合わせる確認画面を表示させてユーザからの指示入力を待つ（ステップＳ２１）。なお、キャプチャした画像をそのまま電子メールに添付するか、編集後に添付するかは、共通の確認画面でユーザに選択させてもよい。
【００２６】
ユーザによりキャプチャした画像の編集が選択された場合、ユーザによる編集操作にしたがってキャプチャした画像の編集を実行する（ステップＳ２２）。キャプチャした画像を編集しない場合、制御回路３は、処理を中止する（ステップＳ２３）。
【００２７】
ステップＳ２にてキャプチャした画像を電子メールに添付する旨の指示が入力されると、制御回路３は、キャプチャした画像に関連する、電子メールに添付できる他の情報（例えば、Ｗｅｂ画面の場合はそのＵＲＬ）が存在するか否かを判定する（ステップＳ３）。
【００２８】
電子メールに添付できる他の情報が無い場合、制御回路３はキャプチャした画像を添付したメール編集画面を起動する（ステップＳ４）。
【００２９】
電子メールに添付できる他の情報が有る場合、制御回路３は再配布不可の画像が存在するか否かを判定し（ステップＳ３１）、存在しない場合はステップＳ４の処理へ移行する。また、再配布不可の画像が存在する場合は、キャプチャした画像に関連する、電子メールに添付できる他の情報の追加をユーザに問い合わせる確認画面を表示装置９に表示させてユーザからの指示入力を待つ（ステップＳ３２）。ユーザにより該情報の追加が指示されない場合はステップＳ４の処理へ移行する。また、ユーザにより該情報の追加が指示された場合は、ＵＲＬ等の情報を添付した後（ステップＳ３３）、ステップＳ４の処理へ移行する。
【００３０】
図３〜図６は、図２に示したフローチャートにしたがって処理を実行した場合に、ユーザの操作に伴って表示装置９による表示画面が推移する様子を示している。
【００３１】
図３は、スケジュール画面をキャプチャし、該キャプチャしたスケジュール画面を電子メールに添付する場合の画面推移例を示している。
【００３２】
図４は、再配布不可のコンテンツ（画像）を含む画像一覧画面をキャプチャし、該キャプチャした画面を電子メールに添付する場合の画面推移例を示している。
【００３３】
図５は、Ｗｅｂ画面をキャプチャし、該キャプチャした画面を電子メールに添付する場合の画面推移例を示している。
【００３４】
図６は、再配布不可のコンテンツ（画像）を含むＷｅｂ画面をキャプチャし、該キャプチャした画面を電子メールに添付する場合の画面推移例を示している。
【００３５】
例えば、図３に示すように、スケジュール画面１００の表示中に機能キー７の操作によりユーザが画面キャプチャを指示すると、制御回路３は該スケジュール画面１００をキャプチャし、表示装置９に確認画面１０１を表示させる。
【００３６】
確認画面１０１の表示にしたがって、ユーザが、例えば「編集後に添付」を選択すると、制御回路３は、表示装置９にユーザによる画像編集を可能にするための画像編集画面１０２を表示させる。
【００３７】
一方、確認画面１０１にしたがってユーザが「そのまま添付」を選択した場合、または画像編集画面１０２を用いたユーザによる画像編集が終了すると、制御回路３は、表示装置９にキャプチャした画像または編集後の画像を電子メールに添付した電子メール作成用のメール編集画面１０３を表示させる。
【００３８】
図４に示すように、再配布不可のコンテンツ（画像）を含む画像一覧画面２００の表示中に機能キー７の操作によりユーザが画面キャプチャを指示すると、制御回路３は該画像一覧画面２００をキャプチャし、表示装置９に確認画面２０１を表示させる。このとき、再配布不可のコンテンツ（画像）がある場合は、該画像を代替画像に置き換える。
【００３９】
確認画面２０１の表示にしたがってユーザが、例えば「そのまま添付」を選択すると、制御回路３は表示装置９に電子メール作成用のメール編集画面２０２を表示させる。ここで、機能キー７の操作によりユーザが電子メールに添付する画像のプレビュー表示を指示すると、制御回路３は表示装置９にプレビュー画面２０３を表示させる。この場合、再配布不可の画像は、表示されることなく、代替画像が表示される。なお、画像一覧画面２００で表示された画像が全て再配布不可であり、ユーザが、再度、画面キャプチャを指示した場合、制御回路３は画面のキャプチャ不可をユーザに通知するための警告画面２０４を表示装置９に表示させる。
【００４０】
図５に示すように、Ｗｅｂ画面３００の表示中に機能キー７の操作によりユーザが画面キャプチャを指示すると、制御回路３は該Ｗｅｂ画面３００をキャプチャし、表示装置９に確認画面３０１を表示させる。
【００４１】
確認画面３０１の表示にしたがってユーザが、例えば「そのまま添付」を選択すると、制御回路３は表示装置９に電子メール作成用のメール編集画面２０２を表示させる。ここで、機能キー７の操作によりユーザが電子メールに添付する画像のプレビュー表示を指示すると、制御回路３は表示装置９にプレビュー画面３０３を表示させる。
【００４２】
図６に示すように、再配布不可のコンテンツ（画像）を含むＷｅｂ画面４００の表示中に機能キー７の操作によりユーザが画面キャプチャを指示すると、制御回路３は該Ｗｅｂ画面４００をキャプチャし、表示装置９に確認画面４０１を表示させる。このとき、再配布不可のコンテンツ（画像）がある場合は、該画像を代替画像に置き換える。
【００４３】
確認画面４０１の表示にしたがってユーザが、例えば「そのまま添付」を選択すると、制御回路３は表示装置９にＵＲＬ（Uniform Resource Locator）を添付するか否かを確認するための確認画面４０２を表示させる。
【００４４】
確認画面４０２の表示にしたがってユーザが、例えば「ＵＲＬ添付」を選択すると、制御回路３は表示装置９に対応するＷｅｂサイトのＵＲＬを付加した電子メール作成用のメール編集画面４０３を表示させる。ここで、機能キー７の操作によりユーザが電子メールに添付する画像のプレビュー表示を指示すると、制御回路３は表示装置９にプレビュー画面４０４を表示させる。この場合、再配布不可の画像は、表示されることなく、代替画像が表示される。なお、図６に示す操作例は、制御回路３が、表示しているＷｅｂサイトのＵＲＬを電子メールに添付する機能を備えていることを前提としている。
【００４５】
本実施形態の端末装置によれば、Ｗｅｂ画面に限らず、スケジュール画面や画像一覧画面等の端末装置に保存した情報も表示画像としてキャプチャ可能であり、画面のキャプチャ、キャプチャした画像の編集、メール編集画面の起動までの一連の処理を簡易な操作で実現できる。そのため、共有したい情報を他者の端末装置に容易に送付できる。
【００４６】
また、キャプチャした画像に再配布不可のコンテンツが含まれている場合、該再配布不可のコンテンツを代替画像に置き換えると共に、電子メールに添付可能な、該コンテンツに代わる情報（例えば、Ｗｅｂ画面の場合、そのＵＲＬ）を提示するため、コンテンツをその管理者の意図にしたがって適切に扱うことができる。
【００４７】
したがって、より多くのコンテンツを電子メールに添付して送付可能であり、再配布不可のコンテンツを適切に扱うことが可能な端末装置が得られる。
【００４８】
なお、上記説明では携帯端末装置を例にして本発明の特徴を示したが、本発明は携帯端末装置に限らず、画像等を添付した電子メールの送受信が可能であれば、どのような端末装置（例えば、パーソナルコンピュータ等）にも適用可能である。
【符号の説明】
【００４９】
１    アンテナ
２    無線回路
３    制御回路
４    ＲＯＭ
５    ＲＡＭ
６    テンキー
７    機能キー
８    表示回路
９    表示装置
【図１】
2012128565.tif 000003
【図２】
2012128565.tif 000004
【図３】
2012128565.tif 000005
【図４】
2012128565.tif 000006
【図５】
2012128565.tif 000007
【図６】
2012128565.tif 000008